(57)【特許請求の範囲】
【請求項１】
認証装置との間で人体通信を行って認証処理を実行可能な人体通信端末装置であって、
人体通信用電極と、前記人体通信用電極を通じて人体を通信経路として伝送可能な信号を送信及び受信する通信回路部と、前記人体通信用電極及び前記通信回路部を介して人体通信を行って認証処理を実行可能に構成された認証制御部とを有する人体通信認証処理部と、
人体に着脱自在に装着可能な装着部材と、
前記装着部材に設けられ、前記装着部材が前記人体から取外されるのに伴いオンオフ切替えられるスイッチ部と、
を備え、
前記人体通信認証処理部は、前記装着部材が前記人体から取外されるのに伴い切替えられる前記スイッチ部のオンオフ状態の変更に応じて、認証処理を実行不能な認証不能状態に切替可能に構成され、
人体の頭周りを通って首周りに配設可能な環状の線状部材をさらに備え、
前記スイッチ部は、合体及び分離自在な一対の分割スイッチ部を有し、それらの合体及び分離状態に応じてオンオフ切替可能に構成され、
前記一対の分割スイッチ部が前記線状部材の延在方向に沿って間隔をあけて設けられ、前記一対の分割スイッチ部が合体することで、前記線状部材の一部により前記首周りに配設可能でかつ前記頭周りを通過不能な環状部分が形成される、人体通信端末装置。
【請求項２】
請求項１記載の人体通信端末装置であって、
前記スイッチ部は、前記装着部材が前記人体に装着された状態でオン状態を継続可能であり、前記装着部材が前記人体から取外されるのに伴いオン状態からオフ状態に切替可能に構成され、
前記スイッチ部がオンにされた状態で、前記人体通信認証処理部に電力供給可能になって前記認証可能状態に切替可能になり、前記スイッチ部がオフにされた状態で、前記人体通信認証処理部の少なくとも一部への電力供給が絶たれて前記認証不能状態になる、人体通信端末装置。
【発明の詳細な説明】
【技術分野】
【０００１】
この発明は、人体通信を利用して、キャビネット等の利用権限等を認証する技術に関する。
【背景技術】
【０００２】
人体通信端末装置として、特許文献１に開示のものがある。特許文献１は、人体通信を行うＲＦＩＤ記録媒体を、人間の首から下げて携帯する態様を開示している。
【０００３】
【特許文献１】特開２００５−２７０９５号公報
【発明の開示】
【発明が解決しようとする課題】
【０００４】
しかしながら、人体通信の原理上、人体通信端末装置を人体に装着していなくても、何らかの媒体を通じて通信経路が確立されれば人体通信は成立し得る。このため、例えば、使用していない人体通信端末装置が金属製の机上や収納庫等に収納された状態で、人体通信端末装置を所持しない人が、その机や収納庫等に近接した位置で認証装置に触れると、金属製の机や収納庫等及び認証装置に触れた人、それらの間の若干の空間を通信経路として人体通信が成立する恐れがある。その結果、本来認証されるべきない人に対して、認証結果合格と判断されてしまう恐れがある。
【０００５】
ここで、人体通信端末装置自体に電源スイッチを設け、人体通信端末装置を人体から取外した場合に電源スイッチをオフにするようにすれば、上記のような誤った認証は防止される。しかしながら、この場合、利用者による電源オフ操作のし忘れ等が発生し得、上記のような誤った認証を確実に防止することはできない。
【０００６】
そこで、本発明は、人体に装着されていない人体通信端末装置が、誤った認証動作を行うことを抑制することを目的とする。
【課題を解決するための手段】
【０００７】
上記課題を解決するため、第１の態様に係る人体通信端末装置は、認証装置との間で人体通信を行って認証処理を実行可能な人体通信端末装置であって、人体通信用電極と、前記人体通信用電極を通じて人体を通信経路として伝送可能な信号を送信及び受信する通信回路部と、前記人体通信用電極及び前記通信回路部を介して人体通信を行って認証処理を実行可能に構成された認証制御部とを有する人体通信認証処理部と、人体に着脱自在に装着可能な装着部材と、前記装着部材に設けられ、前記装着部材が前記人体から取外されるのに伴いオンオフ切替えられるスイッチ部と、を備え、前記人体通信認証処理部は、前記装着部材が前記人体から取外されるのに伴い切替えられる前記スイッチ部のオンオフ状態の変更に応じて、認証処理を実行不能な認証不能状態に切替可能に構成され、さらに、人体の頭周りを通って首周りに配設可能な環状の線状部材をさらに備え、前記スイッチ部は、合体及び分離自在な一対の分割スイッチ部を有し、それらの合体及び分離状態に応じてオンオフ切替可能に構成され、前記一対の分割スイッチ部が前記線状部材の延在方向に沿って間隔をあけて設けられ、前記一対の分割スイッチ部が合体することで、前記線状部材の一部により前記首周りに配設可能でかつ前記頭周りを通過不能な環状部分が形成されるものである。
【０００８】
第２の態様は、第１の態様に係る人体通信端末装置であって、前記スイッチ部は、前記装着部材が前記人体に装着された状態でオン状態を継続可能であり、前記装着部材が前記人体から取外されるのに伴いオン状態からオフ状態に切替可能に構成され、前記スイッチ部がオンにされた状態で、前記人体通信認証処理部に電力供給可能となって前記認証可能状態に切替可能になり、前記スイッチ部がオフにされた状態で、前記人体通信認証処理部の少なくとも一部への電力供給が絶たれて前記認証不能状態になるものである。
【発明の効果】
【００１０】
第１の態様に係る人体通信端末装置によると、前記装着部材に設けられ、前記装着部材が前記人体から取外されるのに伴いオンオフ切替えられるスイッチ部を備えており、前記人体通信認証処理部は、前記装着部材が前記人体から取外されるのに伴い切替えられる前記スイッチ部のオンオフ状態の変更に応じて、認証処理を実行不能な認証不能状態に切替可能に構成されている。このため、前記装着部材が前記人体から取外されるのに伴って、前記人体通信認証処理部を認証不能状態に切替えることができる。これにより、人体に装着されていない人体通信端末装置が、誤った認証動作を行うことをより確実に抑制することができる。
【００１１】
また、第２の態様によると、前記装着部材が前記人体から取外されると、前記人体通信認証処理部の少なくとも一部への電力供給が絶たれて前記認証不能状態になるため、その状態での電力消費を抑制することができる。
【００１２】
さらに、第１の態様によると、前記一対の分割スイッチ部が前記線状部材の延在方向に沿って間隔をあけて設けられ、前記一対の分割スイッチ部が合体することで、前記線状部材の一部により前記首周りに配設可能でかつ前記頭周りを通過不能な環状部分が形成される。このため、線状部材を首周りに配設した状態で、一対の分割スイッチ部を合体させることで、人体通信認証処理部に認証処理を行わせることができる。一方、本人体通信端末装置を人体から外す場合には、上記一対の分割スイッチ部を分離させる必要がある。人体から外された状態では、忘れることなく認証不能状態に切替えることができ、人体に装着されていない人体通信端末装置が、誤った認証動作を行うことをより確実に抑制することができる。
【発明を実施するための最良の形態】
【００１３】
以下、実施形態に係る人体通信端末装置について説明する。
【００１４】
＜１．全体構成＞
まず、本人体通信端末装置が適用された認証システムの全体構成について説明する。図１は本認証システムの全体構成を示す説明図である。
【００１５】
この認証システムは、ロック対象物の認証を行うシステムであり、人体通信端末装置２０と、認証ロック装置５０とを備えている。
【００１６】
ロック対象物は、利用不能なロック状態と利用可能なアンロック状態とで切替えて管理される物である。このようなロック対象物としては、格納手段に取付けられた開閉部や部屋の出入口、電気機器等が想定される。ここでは、ロック対象物が、格納手段としての開閉部であるキャビネット１０の扉１２である場合を想定して説明する。
【００１７】
上記人体通信端末装置２０は、本システムの利用者Ｐに付与されるものであり、当該人体通信端末装置２０には、予め当該利用者Ｐに対応づけられた個人識別ＩＤが登録されている。
【００１８】
認証ロック装置５０は、上記人体通信端末装置２０との間で人体を通信経路として人体通信可能に構成されており、人体通信端末装置２０との間で通信を行うことで、当該人体通信端末装置２０を所持する利用者Ｐに利用権限があるか否かを判別し、利用権限あると判断した場合にロック対象物であるキャビネット１０の扉１２をアンロック状態、即ち、利用可能な状態にする。つまり、この認証ロック装置５０は、認証を行う認証装置としての機能と、認証結果に基づいてロック対象物のロック状態とアンロック状態とを切替制御するロック制御装置としての機能とを有している。
【００１９】
本システムの概略的な使用方法を説明しておくと、この認証システムを利用する利用者Ｐは、人体通信端末装置２０を所持してキャビネット１０の扉１２前に立ち、扉１２の取っ手部１２ａに触れる。すると、認証ロック装置５０は、人体通信端末装置２０との間で人体通信を行って利用権限の有無を判断し、利用権限有りと判断された場合に、アンロック状態に切替える。これにより、利用者Ｐは当該扉を開いてキャビネット１０を利用できるようになる。
【００２０】
以下、各部構成についてより詳細に説明する。
【００２１】
＜２．人体通信端末装置＞
図２はコネクタ部４６を接続した状態における人体通信端末装置２０の全体構成を示す図であり、図３はコネクタ部４６を示す図であり、図４はコネクタ部４６を外した状態における人体通信端末装置２０の全体構成を示す図である。
【００２２】
この人体通信端末装置２０は、人体通信端末装置本体部２１と、この人体通信端末装置本体部２１を人体に装着した状態で保持するための装着部材４０とを備えており、認証ロック装置５０との間で人体通信を行って後述する認証処理を実行可能に構成されている。後述する電極２２Ａ、２２Ｂのそれぞれは、一定の空隙をあけた対向配置された２枚の平板状の導電性材料（以下、導電板）で構成されている。２枚の導電板の空隙を移動する電荷によって互いに静電結合して電気回路が構成される。２枚で一対の導電板によって構成される電極のうち一枚の導電板が人体に面するように人が所持する。この導電板は人体と浮遊容量を介して静電結合し、これにより電極と人体とが電気的に接合される。もう一枚の導電板は大地アース等と浮遊容量を介して静電結合し、これにより電極と大地等とが電気的に接続される。これを合わせ、人体と大地とが電気的に接続されるようになり、この特性を利用して通信を行う。
【００２３】
人体通信端末装置本体部２１は、後述する回路を構成するための各電気部品を基板に実装した構成とされ、ここでは、略方形板状のカード状の外形状に形成されている。この人体通信端末装置本体部２１に、後述する人体通信認証処理部としての部分的な機能が組込まれている。
【００２４】
装着部材４０は、人体に着脱自在に装着可能に構成される部材であり、ここでは、保持部としてのホルダ部４２と、線状部材４４とを有している。
【００２５】
ホルダ部４２は、人体通信端末装置本体部２１を保持可能に形成されている。ここでは、ホルダ部４２は、上記人体通信端末装置本体部２１を収容可能でかつ上方に開口する収容空間を有する略長方形ケース状の部材に形成されており、当該収容空間に上方の開口を通じて人体通信端末装置本体部２１を挿脱自在に形成されている。
【００２６】
線状部材４４は、略環状に形成されており、上記ホルダ部４２の上端部に形成された孔に通す等して連結されている。そして、本線状部材４４を人体Ｐの首周りに配設するようにして吊下げた状態で、ホルダ部４２及びそれに保持された人体通信端末装置本体部２１が人体Ｐの首下から胸部前方あたりに位置して吊下げ状に支持されるようになっている。
【００２７】
この線状部材４４の長さ寸法は、一般的な人体の頭部周りの長さ寸法よりも大きく設定されており、人体の頭周りを通って首周りに配設可能な環状に形成されている（図４参照）。
【００２８】
また、後述する２つの電極２２Ａ、２２Ｂのうち一方の電極２２Ａが、線状部材４４のうち上記ホルダ部４２に対する連結部分から略等距離の中間部の位置、即ち、ホルダ部４２の反対側の位置に配設されている。また、他方の電極２２Ｂは、人体通信端末装置本体部２１に設けられている。そして、本人体通信端末装置２０を上記のようにして人体に装着すると、一方の電極２２Ａが人体の首後部周りに配設され、他方の電極２２Ｂが人体の前方に配設されるようになっている。
【００２９】
また、この線状部材４４には、一対のコネクタ部４６、導体部４７及び一対の導体部４８が組込まれている。
【００３０】
導体部４７は、線状部材４４に沿って一方の電極２２Ａと人体通信端末装置本体部２１とを接続するように配設されている。
【００３１】
また、一対のコネクタ部４６が、線状部材４４のうち一方の電極２２Ａとホルダ部４２への連結部分とを結ぶ２つの線状部分の中間部にそれぞれ設けられている。一対のコネクタ部４６は、相互に嵌合接続可能なハウジング４６ａと、相互接続可能な端子部４６ｂ（一方がオス端子で他方がメス端子）とを有している（図３参照）。一方の端子部４６ｂは、線状部材４４の部分に沿って一方の導体部４８を介して人体通信端末装置本体部２１に接続されており、他方の端子部４６ｂは、線状部材４４の部分に沿って他方の導体部４８を介して人体通信端末装置本体部２１に接続されている。そして、両コネクタ部４６をコネクタ接続（合体）することで、両ハウジング４６ａ同士の嵌合接続及び両端子部４６ｂ同士の接続により機械的な接続がなされる。また、両端子部４６ｂ同士の接続により電気的な接続が得られ、両導体部４８同士が電気的に接続されるようになっている。また、両コネクタ部４６のコネクタ接続を外す（分離）することで、両端子部４６ｂの電気的な接続が解除され、両導体部４８同士が電気的に非接続状態になる。
【００３２】
つまり、一対のコネクタ部４６は、それぞれ合体及び分離自在な一対の分割スイッチ部として機能する。そして、一対のコネクタ部４６は全体として、一対のコネクタ部４６の合体及び分離状態に応じてオンオフ切替可能な、ここでは、合体によりオン状態になり、分離によりオフ状態になるイネーブルスイッチ３５（スイッチ部）として機能する。
【００３３】
このように一対のコネクタ部４６がコネクタ接続されてオン状態になることで、後述するＡＮＤ回路３３から電源制御回路３４に至る信号伝送路が形成されるようになっている。
【００３４】
また、一対のコネクタ部４６は、装着部材４０が人体から取外されるのに伴いオンオフ切替えられるように、より具体的には、装着部材４０が人体に装着された状態でオン状態を継続可能であり、装着部材４０が人体から取外されるのに伴いオン状態からオフ状態に切替えられるように構成されている。
【００３５】
ここでは、人体の頭部周りの寸法が首周りの寸法よりも大きいことを利用した構成を採用している。つまり、一対のコネクタ部４６は、線状部材４４の延在方向に沿って間隔をあけた位置に設けられている。そして、一対のコネクタ部４６同士をコネクタ接続した状態で、線状部材４４のうち一方のコネクタ部４６からホルダ部４２の反対側の部分（一方の電極２２Ａ側の部分）を経て他方のコネクタ部４６に至る比較的小さい環状部分Ｒが形成される（図２参照）。線状部材４４のうち当該比較的小さい環状部分Ｒを構成する部分の長さ寸法は、一般的な人体の首周りの長さ寸法よりも大きく、かつ、一般的な人体の頭周りの長さ寸法よりも小さく設定されている。これにより、環状部分Ｒは、人体の首周りに配設可能でかつ頭周りを通過不能とされている。コネクタ部４６同士のコネクタ接続を外した状態では、線状部材４４を、人体の頭周りを通って首周りに配設することができ、この状態で、上記環状部分Ｒを首周りに配設するようにして、両コネクタ部４６同士をコネクタ接続できるようになっている。また、このように両コネクタ部４６同士をコネクタ接続したままの状態では、環状部分Ｒを首周りから頭周りを通って外すことはできず、コネクタ接続を外すことで、線状部材４４を首周りから頭周りを通って外すことができるようになっている。これにより、一対のコネクタ部４６が、線状部材４４が人体から取外されるのに伴い、オンオフ切替えされる、より具体的には、必然的にオン状態からオフ状態に切替えられるイネーブルスイッチ３５（スイッチ部）として機能するようになっている。
【００３６】
なお、上記導体部４７としては、同軸ケーブル等、内部導体を外部から電磁的にシールド可能なものを用いることが好ましい。導体部４７が人体通信用電極として機能することを抑制するためである。導体部４８としては、種々の導体を用いることができるが、やはり外部からのノイズ混入等を防止するため同軸ケーブル等、内部導体を外部から電磁的にシールド可能なものを用いることが好ましい。
【００３７】
図５は人体通信端末装置２０の電気的構成を示すブロック図である。この人体通信端末装置２０は、認証ロック装置５０との間で人体通信を行って認証処理を実行可能に構成されており、２つの人体通信用電極２２Ａ、２２Ｂと、通信回路部２４と、認証制御部３０と、認証状態切替部３２とを有している。
【００３８】
人体通信用電極２２Ａ、２２Ｂは、人体における異なる箇所に配設可能に構成されている。ここでは、上記したように、一方の人体通信用電極２２Ａは、線状部材４４の中間部に配設されており、首後部に配設されるようになっている。また、他方の人体通信用電極２２Ｂは、人体通信端末装置本体部２１に設けられ、人体前方、ここでは、胸部前方に配設されるようになっている。
【００３９】
通信回路部２４は、上記各体通信用電極２２Ａ、２２Ｂを通じて、人体を通信経路として伝送可能な信号を送信及び受信可能に構成されている。
【００４０】
より具体的には、通信回路部２４は、上記各体通信用電極２２Ａ、２２Ｂのそれぞれに接続された２つの共振回路２５と、各共振回路２５のそれぞれに接続された検波回路２６とを備えている。そして、上記各体通信用電極２２Ａ、２２Ｂのそれぞれで受信された信号が各共振回路２５に入力され、各共振回路２５で人体通信に用いられる搬送波の所定の周波数成分の信号が取出され、それぞれ検波回路２６に入力可能に構成されている。そして、所定の周波数成分の信号が各検波回路２６に入力されると、各検波回路２６は、対応する各体通信用電極２２Ａ、２２Ｂでの受信の有無に応じた検波信号を、受信状況信号として出力する。ここでは、各体通信用電極２２Ａ、２２Ｂでの受信の有無に応じて、受信が有る場合には対応する検波回路２６からハイレベルの信号が出力され、受信が無い場合には対応する検波回路２６からローレベルの信号が出力される。
【００４１】
なお、検波回路２６は、電池３１から直接的に給電される給電ラインＬａに接続されており、後述する認証制御部３０の起動の有無に拘らず常に動作するようになっている。
【００４２】
また、通信回路部２４は、送信回路２７及び受信回路２８を備えている。
【００４３】
送信回路２７は、変調回路、増幅回路等を有しており、一方の共振回路２５を介して一方側の人体通信用電極２２Ｂに接続されると共に、認証制御部３０に接続されている。そして、認証制御部３０より与えられる信号を変調、増幅等し、処理後の信号を、共振回路２５を介して一方の人体通信用電極２２Ｂに出力するようになっている。
【００４４】
また、受信回路部２８は、復調回路、増幅回路等を有しており、一方の共振回路２５を介して一方側の人体通信用電極２２Ｂに接続されると共に、認証制御部３０に接続されている。そして、一方の人体通信用電極２２Ｂを通じて受信された信号が共振回路２５を介して受信回路２８に入力されると、この信号を復調、増幅等して認証制御部３０に与えるようになっている。
【００４５】
なお、これらの送信回路２７及び後述する認証制御部３０には、同期をとるためのクロック信号が入力されている。また、送信回路２７及び受信回路２８は、後述する電源制御回路３４と認証制御部３０との間の給電ラインＬｂに接続されており、認証制御部３０に対する電源供給タイミングと同期して給電されて動作可能になる。
【００４６】
認証制御部３０は、ＣＰＵ、ＲＯＭおよびＲＡＭ等を備える一般的なマイクロコンピュータにより構成されており、予め格納されたソフトウェアプログラムによって演算動作を行い後述する処理を実行する。この認証制御部３０は、フラッシュメモリ等の書換え可能な不揮発性メモリ或は書換え不能なメモリ等によって構成された記憶部３０ａを有しており、この記憶部３０ａに予め個人識別ＩＤ等が記憶されている。
【００４７】
この認証制御部３０は、一方の人体通信用電極２２Ｂを介して人体通信を行って所定の認証処理を実行する。図６は本認証制御部３０による認証動作例を示すフローチャートである。すなわち、本認証制御部３０は、電力が供給されることで起動し、認証処理を実行する。起動後のステップＳ１では、外部機器である上記認証ロック装置５０との間で人体通信を行い、認証ロック装置５０からの信号に、個人識別ＩＤの読出要求が含まれるか否かを判定する。ここで、読出要求が含まれないと判断された場合には、ステップＳ１の処理を繰返す。なお、外部機器から読出要求ではない他の指令が与えられた場合には、当該指令に応じた処理を行ってもよい。
【００４８】
ステップＳ１で読出要求が含まれると判断されると、ステップＳ２に進む。ステップＳ２では、記憶部３０ａから自己の個人識別ＩＤを読出して、人体通信を通じて外部に送信し、処理を終了する。これにより、認証ロック装置５０は、人体通信を行った人体通信端末装置２０の個人識別ＩＤを取得することができる。
【００４９】
また、認証制御部３０は、上記認証処理を実行可能な認証可能状態と、認証処理を実行不能な認証不能状態とで切替可能に構成されている。ここでは、認証制御部３０は、電力供給が遮断されることで認証不能状態となり、電力供給が開始されることで起動して認証可能な状態になる。
【００５０】
これらの人体通信用電極２２Ａ、２２Ｂ、通信回路部２４及び認証制御部３０とで、人体通信認証処理部が構成されている。
【００５１】
認証状態切替部３２は、通信回路部２４からの出力に基づき、２つの人体通信用電極２２Ａ、２２Ｂを通じて信号が受信されたときに、認証制御部３０を認証不能状態から認証可能状態に切替可能構成されている。
【００５２】
ここでは、認証状態切替部３２は、ＡＮＤ回路３３と、電源制御回路３４とを有している。
【００５３】
ＡＮＤ回路３３は、上記２つの検波回路２６に接続されると共に、イネーブルスイッチ３５を介して電源制御回路３４に接続されている。そして、上記検波回路２６からの出力信号が本ＡＮＤ回路３３に入力されると、その２つの入力信号の論理積を信号として出力するように構成されている。つまり、両人体通信用電極２２Ａ、２２Ｂで信号が受信されたときにハイレベルの信号を電源オン信号として出力し、両人体通信用電極２２Ａ、２２Ｂのいずれか一方又は双方で信号が受信されないときにはローレベルの信号を出力するようになっている。
【００５４】
電源制御回路３４は、本人体通信端末装置２０における電源である電池３１と認証制御部３０の電源端子との間の電源ラインＬの途中に介挿されている。そして、電源制御回路３４は、当該電源ラインをオンオフすることで、認証制御部３０に対する電力供給の有無を切替えるようになっている。
【００５５】
この電源制御回路３４における給電ラインのオフからオンへの切替制御は、上記ＡＮＤ回路３３から出力される信号に基づいて行われる。すなわち、上記ＡＮＤ回路３３から電源オン信号としてハイレベルの信号が出力されたときに、電源ラインＬをオンに切替え、認証制御部３０に対する電力供給を開始する。これにより、電源制御回路３４は、認証制御部３０を起動させて認証不能状態から認証可能状態に切替える。
【００５６】
電源ラインＬのオンからオフへの切替えは、認証制御部３０による認証処理終了後のタイミングで行われればよく、例えば、ＡＮＤ回路３３から出力される信号がローレベルに代ったタイミング（つまり、認証ロック装置５０からの信号が送信されなくなったタイミング）や、認証制御部３０に対する電力供給開始後認証処理に必要な所定の時間が経過したタイミング、認証制御部３０から認証処理が終了された旨の指令が与えられたタイミング等で行うとよい。
【００５７】
また、イネーブルスイッチ３５が、上記ＡＮＤ回路３３と電源制御回路３４との間に介挿されており、上記のように一対のコネクタ部４６がコネクタ接続された状態でオン状態となり、そのコネクタ接続が解除された状態でオフ状態となる。つまり、一対のコネクタ部４６がコネクタ接続された状態で、上記ＡＮＤ回路３３からの出力が電源制御回路３４に入力可能となり、コネクタ接続が解除された状態では、電源制御回路３４はオフ状態からオン状態に切替らないようになっている。
【００５８】
これにより、イネーブルスイッチ３５のオンオフ状態に応じて、認証制御部３０への電力供給可能な状態又は不能な状態となり、人体通信用電極２２Ａ、２２Ｂ、通信回路部２４及び認証制御部３０とで構成される人体通信認証処理部が認証可能状態（認証制御部３０に電力供給されて起動した状態）と認証不能状態（認証制御部３０への電力供給が遮断された状態）との間で切替えられるようになっている。
【００５９】
＜３．認証ロック装置＞
図７は認証ロック装置５０の電気的構成を示すブロック図である。認証ロック装置５０は、認証ロック制御部５２と、送信回路５４及び受信回路５５と、共振回路５６と、人体通信用電極５８と、ドライバ回路６０と、アクチュエータ６２とを備えている。
【００６０】
人体通信用電極５８は、ロック対象物に設けられた導電性部材である。ここでは、キャビネット１０の扉１２の取っ手部１２ａが金属等の導電性材料によって形成されており、人体通信用電極５８として用いられている。
【００６１】
送信回路５４は、変調回路、増幅回路等を有しており、認証ロック制御部５２に接続されると共に、共振回路５６を介して人体通信用電極５８に接続されている。そして、認証ロック制御部５２より与えられる信号を変調、増幅等し、処理後の信号を、共振回路５６を介して人体通信用電極５８に出力する。
【００６２】
受信回路５５は、復調回路、増幅回路等を有しており、共振回路５６を介して人体通信用電極５８に接続されると共に、認証ロック制御部５２に接続されている。そして、人体通信用電極５８を通じて受信された信号が共振回路５６を介して受信回路５５に入力されると、この信号を復調、増幅等して認証ロック制御部５２に与えるようになっている。
【００６３】
なお、上記送信回路５４及び認証ロック制御部５２には、同期をとるためのクロック信号が入力されている。
【００６４】
認証ロック制御部５２は、ＣＰＵ、ＲＯＭおよびＲＡＭ等を備える一般的なマイクロコンピュータにより構成され、予め格納されたソフトウェアプログラムによって演算動作を行い後述する処理を実行する。この認証ロック制御部５２は、フラッシュメモリ等の書換え可能な不揮発性メモリ或は書換え不能なメモリ等によって構成された記憶部５２ａを有しており、この記憶部５２ａに予め各個人識別ＩＤと利用権限の有無とを対応づけた認証情報が記憶されている。
【００６５】
この認証ロック制御部５２は、送信回路５４、受信回路５５、共振回路５６及び人体通信用電極５８を介して上記人体通信端末装置２０との間で人体通信を行って処理の認証処理を実行する。また、この認証ロック制御部５２は、ドライバ回路６０を介してアクチュエータ６２の動作制御を行う。アクチュエータ６２は、モータや電磁プランシャ等によって構成されており、このアクチュエータ６２の動作を受けて扉１２をロック又はアンロック状態にするためのロック機構を動作させて、当該扉１２をロック状態及びアンロック状態に切替えるようになっている。このようなロック機構は、種々の電子式の錠装置に適用されている周知技術を含む種々の構成によって実現可能であるので、ここではその説明を省略する。
【００６６】
図８は認証ロック制御部５２の動作を示すフローチャートである。初期状態では、ロック機構部はロック状態に維持されており、人体が人体通信用電極５８である取っ手部１２ａに接触したことが検知されることで、以下の処理を開始する。なお、人体と人体通信用電極５８との接触は、例えば、人体と人体通信用電極５８との静電容量の変動等を利用した原理で検知できる。もっとも、人体と人体通信用電極５８との接触検知を行わないで、後述するステップＳ１１における起動信号の送信を断続的に行ってもよい。
【００６７】
まず、処理開始後、ステップＳ１１において、認証ロック制御部５２は、人体通信用電極５８を通じて起動信号を送信する。ここで、起動信号が人体通信端末装置２０で受信され、当該人体通信端末装置２０が起動すると、当該人体通信端末装置２０から個人識別ＩＤが送信されることになる。
【００６８】
次ステップＳ１２では、人体通信経由で、個人識別ＩＤが受信されたか否かが判断される。受信無きと判断された場合には、処理を終了し、ロック状態を保つ。一方、受信有りと判断された場合には、次ステップＳ１３に進む。
【００６９】
ステップＳ１３では、受信された個人識別ＩＤ及び記憶部５２ａに記憶された認証情報とに基づいて認証が合格か否かが判断される。不合格の場合、即ち、受信した個人識別ＩＤに対して利用無しが対応づけられている場合には、処理を終了し、ロック状態を保つ。一方、認証合格、即ち、受信した個人識別ＩＤに対して利用有りが対応づけられている場合には、次ステップＳ１４に進む。
【００７０】
ステップＳ１４では、認証ロック制御部５２は、ドライバ回路６０を介してアクチュエータ６２に解錠動作を行わせる。これにより、扉１２はアンロック状態になり、利用者は扉１２を開いて利用できるようになる。
【００７１】
＜４．全体動作＞
このように構成された認証システムの全体動作を、認証のための通信開始までの動作を中心に説明する。図９は本認証システムの全体動作の要部を説明するための図である。
【００７２】
まず、初期状態では、扉１２はロック状態になっている。この状態で、ステップＳ２１のように、人体が人体通信用電極５８としての取っ手部１２ａにタッチ（接触）すると、ステップＳ２２に示すように、認証ロック装置５０から人体通信端末装置２０に向けて、人体通信により起動信号が送信される。
【００７３】
すると、ステップＳ２３〜Ｓ２５に示すように、人体通信用電極２２Ａ、２２Ｂの双方で受信が有り、かつ、コネクタ部４６がコネクタ接続された場合に、ステップＳ２６に進むように、認証制御部３０が起動する。そして、次ステップＳ２７で認証のための人体通信を開始し、上記認証を行うことになる。
【００７４】
一方、ステップＳ２３〜Ｓ２５のいずれかの条件が満たされない場合には、認証制御部３０は起動せず、従って、処理が行われずに、扉１２はロック状態に維持される。つまり、人体通信端末装置２０を人体から取外された状態では、コネクタ接続が外され、認証制御部３０への電力供給は遮断されたままに維持され、従って、認証処理をおこなわない状態で維持される。
【００７５】
また、認証制御部３０に対して電力供給が開示されて当該認証制御部３０が起動した状態であっても、人体通信端末装置２０を人体から取外すと、一対のコネクタ部４６がオフ状態になり、認証制御部３０への電力供給が遮断され、認証不能状態になる。
【００７６】
なお、図７のステップＳ２３〜Ｓ２５は、説明の便宜上、認証制御部３０が起動する条件を列挙したものであり、必ずしも具体的な処理順序を示すものではない。
【００７７】
図１０は、本人体通信端末装置２０を所持する利用者が人体通信用電極５８に接触した状態を示す図である。
【００７８】
同図に示すように、人体通信端末装置２０を所持する利用者Ｐ１が人体通信用電極５８に接触した場合、人体通信端末装置２０の両人体通信用電極２２Ａ、２２Ｂと認証ロック装置５０の人体通信用電極５８との間で、床面や地面等をグランドとし、人体の胴部や腕等を信号伝送路とした通信路が形成される。これにより、双方の人体通信用電極２２Ａ、２２Ｂと人体通信用電極５８との間で人体通信が行われ、上記のような認証がなされることになる。
【００７９】
図１１は、本人体通信端末装置２０を所持する人Ｐ１と人体通信用電極５８との間に他の人Ｐ２が介在し、当該他の人Ｐ２が人体通信用電極５８に接触した状態を示す図である。
【００８０】
この場合、人Ｐ１と人Ｐ２とが近接していると、両人Ｐ１、Ｐ２間で比較的大きな浮遊容量が形成され、一方の人体通信用電極２２Ｂと人体通信用電極５８との間で、両人Ｐ１、Ｐ２及び両者間の空間を伝わる信号伝送路が形成される可能性がある。ところが、この場合でも、他方の人体通信用電極２２Ａは、一方の人体通信用電極２２Ａよりも人体通信用電極５８から大きく離れており、しかも、人Ｐ１の人体部分が介在している。このため、人体通信用電極２２Ａと人体通信用電極５８との間で信号伝送路が形成される可能性は低いといえる。人Ｐ１の向きが逆の場合には、上記とは逆になる。このように、人体の異なる部位に設置された人体通信用電極２２Ａ、２２Ｂの双方が、他人Ｐ２を介して、人体通信用電極５８との間で人体通信が成立する可能性は低いといえる。
【００８１】
このように構成された人体通信端末装置２０によると、装着部材４０に、当該装着部材４０が人体から取外されるのに伴いオンオフ切替えられる一対のコネクタ部４６（イネーブルスイッチ３５）が設けられており、装着部材４０が人体から取外されるのに伴う一対のコネクタ部４６（イネーブルスイッチ３５）のオンオフ状態の変更に応じて、認証制御部３０が認証不能状態（電力供給が遮断された状態）に切替可能に構成されている。従って、装着部材４０が人体から取外されるのに伴って、認証制御部３０を認証不能状態にすることができる。このため、例えば、人体に装着されない人体通信端末装置２０が金属製の机上や収納庫等に収納された状態で、人体通信端末装置２０を所持しない人が、その机や収納庫等に近接した位置で認証装置に触れたとしても、人体通信端末装置２０自体は起動しないままに維持される。このため、人体に装着されていない人体通信端末装置２０が誤った認証動作をおこなうことをより確実に抑制することができる。なお、当該装着部材４０が人体から取外されるのに伴う一対のコネクタ部４６（イネーブルスイッチ３５）のオンオフ状態の変更に応じて、認証制御部３０が認証不能状態（電力供給が遮断された状態）に切替可能に構成されているとは、本実施形態における２つの電極２２Ａ、２２Ｂでの双方における受信状態のように、他の条件によっても、実際に認証不能な状態に切替えてもよいということを意味している。
【００８２】
しかも、コネクタ部４６（イネーブルスイッチ３５）がオンにされた状態で、認証制御部３０に対して電力供給を行って認証可能状態にし、コネクタ部４６（イネーブルスイッチ３５）がオフにされた状態で、認証制御部３０への電力供給を遮断して認証不能状態にしているので、認証不能状態での電力消費を抑制することができる。
【００８３】
また、頭周りを通って首周りに配設可能な環状を形成可能な線状部材４４の途中に一対のコネクタ部４６を設け、一対のコネクタ部４６をコネクタ接続することで、首周りに配設可能でかつ頭周りを通って通過可能な環状部分Ｒを形成するようにしている。このため、線状部材４４を首周りに配設した状態で、一対のコネクタ部４６をコネクタ接続することで、認証動作可能な状態にすることができる。一方、人体通信端末装置２０を人体から取外す際には、一対のコネクタ部４６のコネクタ接続を外す必要があるので、人体から外された状態で、忘れることなく認証不能状態に切替えることができる。
【００８４】
｛変形例｝
なお、本実施形態では、２つの人体通信用電極２２Ａ、２２Ｂで受信がなされたときに、認証不能状態から認証可能状態に切替可能に構成しているが、かかる構成は省略してもよい。
【００８５】
例えば、一方の電極２２Ａ及びそれに対応する構成部分を省略し、一対のコネクタ部４６（イネーブルスイッチ３５）のオン状態への切替により、電源制御部３４に対してオン状態にする旨の信号が入力されるようにしてもよい。
【００８６】
また、図１２に示す変形例のように、電池３１から認証制御部３０に対して電力供給を行う電源ラインLの途中に、上記一対のコネクタ部４６と同様構成の一対のコネクタ部１４６を設け、両コネクタ部１４６同士のコネクタ接続により認証制御部３０に電力供給がなされ、両コネクタ部１４６同士のコネクタ接続を外すことにより認証制御部３０への電力供給が断たれる構成であってもよい。
【００８７】
また、両コネクタ部４６、１４６のオンオフ状態に応じた信号を、認証制御部３０等に対してスリープ信号又は休止信号として与えて、認証制御部３０等を認証可能状態（イネーブル状態）からスリープ状態又は休止状態等の認証不能状態（ディセーブル状態）に切替えるようにしてもよい。ここで、スリープ状態又は休止状態は、上記認証処理を実行する通常状態（認証可能状態）と比較して、少なくとも一部の機能を無効等して消費電力を抑制した状態であり、人体通信用電極２２Ｂ等で信号が受信されても動作を開始しない認証不能状態をいう。
【００８８】
また、両コネクタ部４６、１４６のオンオフ状態に応じた信号を、認証制御部３０等に対して認証処理開始指令又は認証停止指令として与え、認証制御部３０等で当該指令に応じて上記認証処理を実行する認証可能状態と認証不能状態とで切替えて処理するようにしてもよい。
【００８９】
また、装着部材４０が人体から取外されるのに伴いオンオフ切替えられるスイッチ部としては、必ずしも上記コネクタ部４６、１４６のような構成を採用する必要はない。
【００９０】
例えば、線状部材４４に、嵌め込み、挟込み、或はねじ込み等により合体及び分離可能な２つの部材を設け、一方の部材に両部材の合体により押込操作されてオン状態又はオフ状態になり、分離により上記押込操作力が解除されて逆にオフ状態又はオン状態になるスイッチ等を組込んでもよい。
【００９１】
また、上記のようにスイッチ部のオンオフ状態に応じた信号を、認証制御部３０等に対してスリープ信号又は休止信号、認証処理開始指令又は認証停止指令等として与える場合いは、スイッチ部のオンオフ状態を判別できればよいから、上記２つの部材が合体状態及び分離状態のいずれでオン状態或はオフ状態になってもよい。
【００９２】
また、上記のように、認証制御部３０を、スイッチ部のオンオフに応じて認証可能状態と認証不能状態とで切替えるだけでなく、人体通信用電極２２Ａや通信回路部２４等、人体通信認証処理部として機能する一部を動作不能及び動作可能に切替えてもよい。
【００９３】
つまり、スイッチ部としては、装着部材４０が人体から取外されるのに伴いオンオフ切替えられる構成を全て含む。また、本人体通信端末装置２０としては、スイッチ部のオンオフに応じて人体通信を行って認証を行うための人体通信認証処理部の少なくとも一部に対する電力供給を継続又は遮断したり当該一部の回路を断続する等して認証可能状態と認証不能状態との間で切替可能な構成や、スイッチ部のオンオフに応じて、人体通信を行って認証を行うための人体通信認証処理部の少なくとも一部に対して所定の指令を与えて認証可能状態と認証不能状態との間で切替可能な構成等を全て含む。
【００９４】
また、装着部材４０としては、上記のように首から吊下げ可能な線状部材４４を有するものに限られない。
【００９５】
例えば、装着部材は、人体の腰部に装着される腰ベルト状の形態、人体の手首に装着されるリストバンドとしての形態として構成されていてもよい。この場合、人体からの取外しに際して操作されるバックル部分等に、スイッチ部を組込むとよい。
【００９６】
また、本人体通信端末装置２０は、上記実施形態で述べた例に限らず、特定人であるか否かを判別する全ての認証システムに適用され得る。
【図面の簡単な説明】
【００９７】
【図１】認証システムの全体構成を示す説明図である。
【図２】コネクタ部を接続した状態における人体通信端末装置の全体構成を示す図である。
【図３】コネクタ部を示す図である。
【図４】コネクタ部の接続を外した状態における人体通信端末装置の全体構成を示す図である。
【図５】人体通信端末装置の電気的構成を示すブロック図である。
【図６】認証制御部による認証動作例を示すフローチャートである。
【図７】認証ロック装置の電気的構成を示すブロック図である。
【図８】認証ロック制御部の動作を示すフローチャートである。
【図９】認証システムの全体動作の要部を説明するための図である。
【図１０】人体通信端末装置を所持する利用者が人体通信用電極に接触した状態を示す図である。
【図１１】人体通信端末装置を所持する人と人体通信用電極との間に他の人が介在し、当該他の人が人体通信用電極に接触した状態を示す図である。
【図１２】変形例を示す図である。
【符号の説明】
【００９８】
２０  人体通信端末装置
２２Ａ、２２Ｂ  体通信用電極
２４  通信回路部
３０  認証制御部
３０ａ  記憶部
３１  電池
３２  認証状態切替部
３４  電源制御回路
３５  イネーブルスイッチ
４０  装着部材
４４  線状部材
４６、１４６  コネクタ部
４８  導体部
５０  認証ロック装置
５８  人体通信用電極
Ｌ  電源ライン
Ｒ  環状部分
【図１】
0004954846.tif 000002
【図２】
0004954846.tif 000003
【図３】
0004954846.tif 000004
【図４】
0004954846.tif 000005
【図５】
0004954846.tif 000006
【図６】
0004954846.tif 000007
【図７】
0004954846.tif 000008
【図８】
0004954846.tif 000009
【図９】
0004954846.tif 000010
【図１０】
0004954846.tif 000011
【図１１】
0004954846.tif 000012
【図１２】
0004954846.tif 000013